(57)【要約】      （修正有）【課題】靴べら又は櫛を交換したり、選択的に使用したりすることができる靴べら又は櫛付き携帯電話を提供する。【解決手段】携帯電話本体１に収納部１１を形成し、この収納部１１は携帯電話本体１の側面に開口する開口部１２を有し、収納部１２に着脱ケース１３を着脱可能に設けると共に、着脱ケース１３内に靴べら又は櫛６を設け、収納部１１に着脱ケース１３を取り付けた状態で、靴べら又は櫛６を開口部１２から出没自在に設けたから、使用時には着脱ケース１３内から靴べら又は櫛６を出して使用し、一方、通常時は着脱ケース１３内に収納しておくことができる。そして、靴べら５又は櫛６を着脱ケース１３ごと携帯電話本体１から取り外し、交換して使用することができる。【選択図】図１
0003146799.tif 000002
【実用新案登録請求の範囲】
【請求項１】
携帯電話本体に、靴べら又は櫛を設けたことを特徴とする靴べら又は櫛付き携帯電話。
【請求項２】
前記靴べら又は櫛が、前記携帯電話本体の側面から出没自在に設けられていることを特徴とする靴べら又は櫛付き携帯電話。
【請求項３】
前記携帯電話本体に収納部を形成し、この収納部は前記携帯電話本体の側面に開口する開口部を有し、前記収納部に着脱ケースを着脱可能に設けると共に、前記着脱ケース内に前記靴べら又は櫛を設け、前記収納部に前記着脱ケースを取り付けた状態で、前記靴べら又は櫛を前記開口部から出没自在に設けたことを特徴とする請求項２記載の靴べら又は櫛付き携帯電話。
【請求項４】
前記靴べら又は櫛を前記着脱ケースに回動可能に設け、前記収納部に収納した収納位置の前記靴べら又は櫛を回転して前記開口部から使用位置に出すように付勢する回転付勢手段と、前記靴べら又は櫛を収納位置及び前記使用位置に位置固定する位置固定手段とを備えることを特徴とする請求項３記載の靴べら又は櫛付き携帯電話。
【請求項５】
前記靴べら又は櫛を前記着脱ケースに回動可能に設け、前記収納部に収納した収納位置の前記靴べら又は櫛を回転して前記開口部から使用位置に出すように付勢する回転付勢手段と、前記着脱ケースに回転及び軸方向移動可能に設けた回転中心軸と、前記着脱ケースに設けられ前記回転中心軸の先端を遊通した第１挿通孔と、前記靴べら又は櫛に設けられ前記回転中心軸を遊通した第２挿通孔と、前記回転中心軸の基端に設けられた回り止め係合部と、前記第２挿通孔に連続して前記靴べら又は櫛に設けられ前記回り止め係合部が係脱可能な係合孔と、この係合孔に対向して前記着脱ケースに設けられ前記回り止め係合部が出没自在に係合するケース側係合受部と、前記係合孔に前記回り止め係合部が係合する方向に前記回転中心軸を付勢する回転中心軸付勢手段とを備え、前記靴べら又は櫛の使用位置及び収納位置で、前記回り止め係合部は前記係合孔及びケース側係合受部に係合し、前記使用位置において、前記靴べら又は櫛は、前記携帯電話本体の長手方向一側から突出し、前記携帯電話本体には、前記収納部に前記着脱ケースを取り付けた状態で、前記回転中心軸の先端を操作可能な操作孔を設け、前記回転中心軸の先端を前記回転中心軸付勢手段に抗して押すことにより、前記回り止め係合部が前記ケース側係合受部に没して前記係合孔と前記回り止め係合部との係合を解除可能に構成したことを特徴とする請求項３記載の靴べら又は櫛付き携帯電話。
【考案の詳細な説明】
【技術分野】
【０００１】
本考案は、靴べら又は櫛付き携帯電話に関する。
【背景技術】
【０００２】
日常的に使用する携帯電話に鏡を組み込んで利便性の向上を図ったものがある（例えば特許文献１）が、靴べらや櫛では、ストラップやチェーンを用いて携帯電話に連結する（例えば特許文献２及び特許文献３）ものしか提案されていない。
【０００３】
しかし、ストラップやチェーンを用いて携帯電話と繋いだものでは、靴べら本体を持って使用することになるから、携帯電話が邪魔になり、操作性に劣るという問題がある。
【特許文献１】特開２００３−２２９４０号公報
【特許文献２】特開２００２−１６５６９５号公報
【特許文献３】特開平９−２８５３８５号公報
【考案の開示】
【考案が解決しようとする課題】
【０００４】
そこで、本考案は、靴べら又は櫛の操作性に優れた靴べら又は櫛付き携帯電話を提供することを目的とし、また、靴べら又は櫛を交換したり、選択的に使用したりすることができる靴べら又は櫛付き携帯電話を提供することを目的とする。
【課題を解決するための手段】
【０００５】
請求項１の考案は、携帯電話本体に、靴べら又は櫛を設けたものである。
【０００６】
また、請求項２の考案は、前記靴べら又は櫛が、前記携帯電話本体の側面から出没自在に設けられているものである。
【０００７】
また、請求項３の考案は、前記携帯電話本体に収納部を形成し、この収納部は前記携帯電話本体の側面に開口する開口部を有し、前記収納部に着脱ケースを着脱可能に設けると共に、前記着脱ケース内に前記靴べら又は櫛を設け、前記収納部に前記着脱ケースを取り付けた状態で、前記靴べら又は櫛を前記開口部から出没自在に設けたものである。
【０００８】
また、請求項４の考案は、前記靴べら又は櫛を前記着脱ケースに回動可能に設け、前記収納部に収納した収納位置の前記靴べら又は櫛を回転して前記開口部から使用位置に出すように付勢する回転付勢手段と、前記靴べら又は櫛を収納位置及び前記使用位置に位置固定する位置固定手段とを備えるものである。
【０００９】
また、請求項５の考案は、前記靴べら又は櫛を前記着脱ケースに回動可能に設け、前記収納部に収納した収納位置の前記靴べら又は櫛を回転して前記開口部から使用位置に出すように付勢する回転付勢手段と、前記着脱ケースに回転及び軸方向移動可能に設けた回転中心軸と、前記着脱ケースに設けられ前記回転中心軸の先端を遊通した第１挿通孔と、前記靴べら又は櫛に設けられ前記回転中心軸を遊通した第２挿通孔と、前記回転中心軸の基端に設けられた回り止め係合部と、前記第２挿通孔に連続して前記靴べら又は櫛に設けられ前記回り止め係合部が係脱可能な係合孔と、この係合孔に対向して前記着脱ケースに設けられ前記回り止め係合部が出没自在に係合するケース側係合受部と、前記係合孔に前記回り止め係合部が係合する方向に前記回転中心軸を付勢する回転中心軸付勢手段とを備え、前記靴べら又は櫛の使用位置及び収納位置で、前記回り止め係合部は前記係合孔及びケース側係合受部に係合し、前記使用位置において、前記靴べら又は櫛は、前記携帯電話本体の長手方向一側から突出し、前記携帯電話本体には、前記収納部に前記着脱ケースを取り付けた状態で、前記回転中心軸の先端を操作可能な操作孔を設け、前記回転中心軸の先端を前記回転中心軸付勢手段に抗して押すことにより、前記回り止め係合部が前記ケース側係合受部に没して前記係合孔と前記回り止め係合部との係合を解除可能に構成したものである。
【考案の効果】
【００１０】
請求項１の構成によれば、携帯電話本体を持って、靴べら又は櫛を使用することができる。
【００１１】
また、請求項２の構成によれば、使用時には携帯電話本体の外側に靴べら又は櫛を出して使用し、一方、通常時は収納しておくことができる。
【００１２】
また、請求項３の構成によれば、使用時には着脱ケース内から靴べら又は櫛を出して使用し、一方、通常時は着脱ケース内に収納しておくことができる。そして、靴べら又は櫛を着脱ケースごと携帯電話本体から取り外し、交換して使用することができる。
【００１３】
また、請求項４の構成によれば、位置固定手段により、収納位置と使用位置とに靴べら又は櫛を固定することができ、収納位置で位置固定手段による位置固定を解除すると、回転付勢手段により靴べら又は櫛が使用位置方向に回転する。
【００１４】
また、請求項５の構成によれば、収納位置において、回転中心軸の先端を押すと、回転中心軸の回り止め係合部が靴べら又は櫛側の係合孔から外れ、回転付勢手段により靴べら又は櫛が使用位置まで回転し、このように回転中心軸を操作するだけで、靴べら又は櫛を使用位置に回転させることができ、また、回動付勢手段に抗して靴べら又は櫛を収納位置側に回し、収納位置に戻すことができる。そして、使用位置と収納位置で係合孔とケース側係合受部に回り止め係合部が係合し、両位置で靴べら又は櫛が位置固定される。
【考案を実施するための最良の形態】
【００１５】
本考案における好適な実施の形態について、添付図面を参照しながら詳細に説明する。尚、以下に説明する実施の形態は、特許請求の範囲に記載された本考案の内容を限定するものではない。また、以下に説明される構成の全てが、本考案の必須要件であるとは限らない。各実施例では、従来とは異なる新規な靴べら又は櫛付き携帯電話を採用することにより、従来にない靴べら又は櫛付き携帯電話が得られ、その靴べら又は櫛付き携帯電話について記述する。
【実施例１】
【００１６】
以下、本発明の実施例１について、図１〜図７を参照して説明する。図１に示すように、携帯電話本体１は、操作キー（図示せず）などが配設された本体部２と、この本体部２に蝶番部３を介して開閉自在に設けられたディスプレイ部４とからなる。
【００１７】
靴べら５又は櫛６を収納する収納部１１を前記携帯電話本体１に設け、収納部１１に収納した靴べら５又は櫛６が前記携帯電話本体１の側面から出没自在に設けられている。
【００１８】
この例では、以下、櫛６を例にして説明する。前記蝶番部３側の側面を除いて、本体部２の３つの側面２Ｌ，２Ｓ，２Ｌのいずれかか、ディスプレイ部４の３つの側面４Ｌ，４Ｓ，４Ｌのいずれかに前記収納部１１の開口部１２を設け、この例では、ディスプレイ部４の長手方向の側面部４Ｌと、幅方向の側面部４Ｓとが角部で連続した開口部１２を形成し、この開口部１２から前記櫛６が出没する。
【００１９】
前記収納部１１は略矩形をなし、この収納部１１に開口部１２から着脱ケース１３が着脱可能に挿入される。図２に示すように、前記着脱ケース１３は、前記開口部１２に対応した開口を有する矩形で薄型なものであり、略平行に配置された上，下板１４，１４とこれら上，下板１４，１４を連結する２つの側板１５Ｌ，１５Ｓとを備える。そして、幅方向の前記側板１５Ｓに係止孔１６を形成し、前記下板１４に係止孔１７を形成し、これら係止孔１６，１７に対応して、前記収納部１１には、係止突起１８，１９を出没自在に設ける。これら係止突起１８，１９はバネなどの付勢手段（図示せず）より突出方向に付勢されており、係止突起１８，１９の先端は湾曲状に形成されている。前記収納部１１には、後述する回転中心軸２１の先端を案内する案内溝部２０が形成され、この案内溝部２０は前記側板１５Ｓと略平行に形成されている。また、前記案内溝２０の終端には、回転中心軸２１の先端を挿入する操作孔２０Ｋが前記ディスプレ部４に穿設されている。
【００２０】
したがって、側面３Ｌ側の開口部１２に、側板１５Ｌ側から着脱ケース１３を挿入し、着脱ケース１３に押されて係止突起１８，１９が没し、回転中心軸２１の先端が案内溝部２０に沿うように着脱ケース１３を挿入することにより、係止突起１８，１９が係止孔１６，１７に係止し、抜け止め状態となり、収納部１１に着脱ケース１３が固定される。また、前記係止突起１８，１９を没するように操作する操作手段（図示せず）を携帯電話本体に設けたり、開口部１２から挿通して前記係止突起１８，１９の係止を解除するように押す工具（図示せず）を用いたりしてもよい。その工具は先端が略鉤型をしたものが係止突起１８，１９を押し易いものとなる。
【００２１】
次に、前記着脱ケース１３の詳細について説明する。前記着脱ケース１３の長手方向一側に、回転中心軸２１を設け、この回転中心軸２１の先端側は、前記上板１４に穿設した第１挿通孔２２に回転可能に遊挿され、前記櫛６には、前記回転中心軸２１を回転可能に遊挿する第２挿通孔２３を形成し、前記回転中心軸２１の基端には、両側に突出した回り止め係合部２４を設け、この回り止め係合部２４の両側は回転中心軸２１の中心に対して１８０度の位置にある。また、前記櫛６には、前記第２挿通孔２３に連続して前記回り止め係合部２４が係脱可能な係合孔２５を形成し、この係合孔２５に対向して前記着脱ケース１３の下面１４の内面には、前記回り止め係合部２４が出没自在に係合する溝状のケース側係合受部２６を設け、前記係合孔２５に前記回り止め係合部２４が係合する方向に前記回転中心軸２１を付勢する回転中心軸付勢手段であるコイルバネ２７を設けている。尚、係合孔２５とケース側係合受部２６とは同形である。そして、ケース側係合受部２６の中心下面に凹所２８を形成し、この凹所２８内に前記コイルバネ２７を挿入すると共に、そのコイルバネ２７を圧縮状態で、前記ケース側係合受部２６に当接する。尚、前記回転中心軸２１、回り止め係合部２４、係合孔２５、ケース側係合受部２６及びコイルバネ２７などにより、前記靴べら５又は櫛６を収納位置及び使用位置に位置固定する位置固定手段２９を構成している。
【００２２】
次に、回転付勢手段の一例を示すと、図２に示すように、櫛６の基端側に、回転付勢手段としてゴムなどの伸縮部材３１の一端を連結し、この伸縮部材３１の他端を着脱ケース１３に固定する。また、前記伸縮部材３１は、使用位置から収納位置に櫛６を回すと、前記伸縮部材３０が伸びるように取り付けられ、伸びた後縮む弾性復元力を有する。したがって、使用位置から収納位置に櫛６を回すと、伸縮部材３０は伸びた状態となり、その弾性復元力により、収納位置の櫛６を使用位置に回転付勢するように構成している。尚、収納位置と使用位置との間で、櫛６は略１８０度回転する。
【００２３】
そして、収納位置において、図６に示すように、コイルバネ２７により、回り止め係合部２４が係合孔２５とケース側係合受部２６に係合することにより、位置固定される。使用時には、操作部を兼用する回転中心軸２１の先端を押すと、コイルバネ２７が収縮し、回り止め係合部２４が係合孔２５から外れてケース側係合受部２６内に没し、伸縮部材３０の弾性復元力で、使用位置まで回動し、櫛６は着脱ケース１３に係合して止まり、回り止め係合部２４が１８０度回転した係合孔２５に係合し、櫛６が位置固定される。
【００２４】
尚、図４に示すように、櫛６を設けた着脱ケース１３と別個に、靴べら５を設けた着脱ケース１３を用意し、選択的に使用することができる。
【００２５】
また、靴べら５及び櫛６を電磁波を吸収する材質のものから作ることにより、電磁波による人体への悪影響を軽減することができる。
【００２６】
そして、携帯電話は常時に持ち歩かれるが、靴べらと櫛はとかく忘れがちとなり、上記の携帯電話を用いることにより、旅先又は乗り物の中で靴を抜いた時、座敷で行う会議、宴会等で、終了後、一斉に玄関に人が集中し、備え付けの靴べらが不足するような場合、本考案の携帯電話を使用すると便利である。また、髪の乱れを櫛で整えることができる。また、携帯電話機本体１は把持して使用するものであるから、靴べら５又は櫛６の持ち手として用いた場合も使い易いものとなる。
【００２７】
このように本実施例では、請求項１に対応して、携帯電話本体１に、靴べら５又は櫛６を設けたから、携帯電話本体１を持って、靴べら５又は櫛６を使用することができる。
【００２８】
また、このように本実施例では、請求項２に対応して、靴べら５又は櫛６が、携帯電話本体１の側面から出没自在に設けられていることを特徴とする靴べら又は櫛付き携帯電話。
【００２９】
また、このように本実施例では、請求項２に対応して、靴べら５又は櫛６が、携帯電話本体１の側面から出没自在に設けられているから、使用時には携帯電話本体１の外側に靴べら５又は櫛６を出して使用し、一方、通常時は収納しておくことができる。
【００３０】
また、このように本実施例では、請求項３に対応して、携帯電話本体１に収納部１１を形成し、この収納部１１は携帯電話本体１の側面に開口する開口部１２を有し、収納部１２に着脱ケース１３を着脱可能に設けると共に、着脱ケース１３内に靴べら５又は櫛６を設け、収納部１１に着脱ケース１３を取り付けた状態で、靴べら５又は櫛６を開口部１２から出没自在に設けたから、使用時には着脱ケース１３内から靴べら５又は櫛６を出して使用し、一方、通常時は着脱ケース１３内に収納しておくことができる。そして、靴べら５又は櫛６を着脱ケース１３ごと携帯電話本体１から取り外し、交換して使用することができる。
【００３１】
また、このように本実施例では、請求項４に対応して、靴べら５又は櫛６を着脱ケース１３に回動可能に設け、収納部１１に収納した収納位置の靴べら５又は櫛６を回転して開口部１２から使用位置に出すように付勢する回転付勢手段たる伸縮部材３０と、靴べら５又は櫛６を収納位置及び使用位置に位置固定する位置固定手段２９とを備えるから、位置固定手段２９により、収納位置と使用位置とに靴べら５又は櫛６を固定することができ、収納位置で位置固定手段２９による位置固定を解除すると、伸縮部材３０により靴べら５又は櫛６が使用位置方向に回転する。
【００３２】
また、このように本実施例では、請求項５に対応して、靴べら５又は櫛６を着脱ケース１３に回動可能に設け、収納部１１に収納した収納位置の靴べら５又は櫛６を回転して開口部１２から使用位置に出すように付勢する回転付勢手段たる伸縮部材３０と、着脱ケース１３に回転及び軸方向移動可能に設けた回転中心軸２１と、着脱ケース１３に設けられ回転中心軸２１の先端を遊通した第１挿通孔２２と、靴べら５又は櫛６に設けられ回転中心軸２１を遊通した第２挿通孔２３と、回転中心軸２１の基端に設けられた回り止め係合部２４と、第２挿通孔２２に連続して靴べら５又は櫛６に設けられ回り止め係合部２４が係脱可能な係合孔２５と、この係合孔２５に対向して着脱ケース１３に設けられ回り止め係合部２４が出没自在に係合するケース側係合受部２６と、係合孔２５に回り止め係合部２４が係合する方向に回転中心軸２１を付勢する回転中心軸付勢手段たるコイルバネ２７とを備え、靴べら５又は櫛６の使用位置及び収納位置で、回り止め係合部２４は係合孔２５及びケース側係合受部２６に係合し、使用位置において、靴べら５又は櫛６は、携帯電話本体１の長手方向一側から突出し、携帯電話本体１には、収納部１１に着脱ケース１３を取り付けた状態で、回転中心軸２１の先端を操作可能な操作孔２０Ｋを設け、回転中心軸２１の先端をコイルバネ２７に抗して押すことにより、回り止め係合部２４がケース側係合受部２６に没して係合孔２５と回り止め係合部２４との係合を解除可能に構成したから、収納位置において、回転中心軸２１の先端を押すと、回転中心軸２１の回り止め係合部２４が靴べら５又は櫛６側の係合孔２５から外れ、回転付勢手段たる伸縮部材２９により靴べら５又は櫛６が使用位置まで回転し、回転中心軸２１を操作するだけで、靴べら５又は櫛６を使用位置に回転させることができ、また、伸縮部材２９に抗して靴べら５又は櫛６を収納位置側に回し、収納位置に戻すことができる。そして、使用位置と収納位置で係合孔２５とケース側係合受部２６に回り止め係合部２４が係合し、両位置で靴べら又は櫛が位置固定される。
【００３３】
なお、本考案は、前記実施例に限定されるものではなく、種々の変形実施が可能である。例えば、本体部とディスプレイ部の一方に靴べらを設け、他方に櫛を設けてもよく、この場合も着脱ケースにより着脱可能とすることが好ましい。また、実施例では、ディスプレイ部４に靴べら又は櫛を設けたが、靴べら又は櫛を本体部２に設けるようにしてもよいことは言うまでもない。また、回転付勢手段は、各種のものを用いることができる。
【図面の簡単な説明】
【００３４】
【図１】本考案の実施例１を示す櫛の使用位置における携帯電話機の斜視図である。
【図２】同上、櫛を設けた着脱ケースの斜視図である。
【図３】同上、櫛の収納位置における携帯電話機の斜視図である。
【図４】同上、靴べらを設けた着脱ケースの斜視図である。
【図５】同上、係止孔と係止突起回りの断面図である。
【図６】同上、位置固定手段回りの断面図である。
【図７】同上、着脱ケースの要部の平面図である。
【符号の説明】
【００３５】
１  携帯電話本体
２  本体部
３  蝶番部
４  ディスプレイ部
５  靴べら
６  櫛
１１  収納部
１２  開口部
１３  着脱ケース
１５Ｌ、１５Ｓ  側板
２０Ｋ  操作孔
２１  回転中心軸
２２  第１挿通孔
２３  第２挿通孔
２４  回り止め係合部
２５  係合孔
２６  ケース側係合受部
２７  コイルバネ（回転中心軸付勢手段）
２９  位置固定手段
３０  伸縮部材（回転付勢手段）
【図１】
0003146799.tif 000003
【図２】
0003146799.tif 000004
【図３】
0003146799.tif 000005
【図４】
0003146799.tif 000006
【図５】
0003146799.tif 000007
【図６】
0003146799.tif 000008
【図７】
0003146799.tif 000009
【手続補正書】
【提出日】平成20年9月30日(2008.9.30)
【手続補正１】
【補正対象書類名】実用新案登録請求の範囲
【補正対象項目名】請求項２
【補正方法】変更
【補正の内容】
【請求項２】
前記靴べら又は櫛が、前記携帯電話本体の側面から出没自在に設けられていることを特徴とする請求項１記載の靴べら又は櫛付き携帯電話。